(57)【要約】【課題】端子台および本体内部に水が侵入することのない空気調和機の室外ユニットを提供する。【解決手段】室内ユニット（図示せず）と室外ユニット１００を電気的に接続するための端子台１１７と、筐体１０１の内方に窪んで形成された側板１１６に設けられ接続配管１１２、１１３を接続する配管接続弁１１４、１１５と、端子台１１７と配管接続弁１１４、１１５を覆う電源カバー１１９を備え、前記電源カバー１１９に前記側板１１６の上面部１２３と対向するように突出した突出片１２４を設けて、端子台１１７および本体内部への雨水の侵入を防止する。【選択図】  図１
2005036999.tif 000002
【特許請求の範囲】
【請求項１】
筐体の側面に設けられ室内ユニットと室外ユニットを電気的に接続するための端子台と、前記側面に設けられるとともに内方に窪んで形成された側板と、前記側板に設けられ前記室内ユニットと前記室外ユニットを配管にて接続する配管接続弁と、前記端子台と前記配管接続弁を覆う電源カバーとを備え、前記電源カバーに前記側板の上面と対向するように突出した突出片を設けたことを特徴とする空気調和機の室外ユニット。
【請求項２】
端子台に接続される電源コードを取り出すための開口したコード導通部を突出片に設けた請求項１記載の空気調和機の室外ユニット。
【請求項３】
側板の下面部に雨水排出用の排水部を設けた請求項１または２記載の空気調和機の室外ユニット。
【発明の詳細な説明】
【０００１】
【発明の属する技術分野】
本発明は、空気調和機の室外ユニットに関するものである。
【０００２】
【従来の技術】
従来の分離型の空気調和機の室外ユニットについて、図６および図７を用いて説明する。図において、室外ユニット１００の筐体１０１の内部は、室外基板１０２の上に立設された仕切り板１０３によって左右に仕切られ、その一方には熱交換室１０４が、他方に機械室１０５がそれぞれ形成されている。
【０００３】
熱交換室１０４内にはＬ字形の熱交換器１０６、ファン１０７、ファン１０７を駆動するモータ１０８が配設されている。この熱交換器１０６は、筐体１０１の背面１０１ａに形成された空気取入口１０９及び左側面１０１ｂに形成された空気取入口１１０に対向するように設けられている。
【０００４】
また、ファン１０７は筐体１０１の前面パネル１０１ｃに形成された吹出口１１１に臨むように配設されている。機械室１０５内には圧縮機９９の他、図示しない電源箱、アキュームレータ、四方切換弁、膨張弁等が配設されている。
【０００５】
筐体１０１の右側面１０１ｄには図示しない室内ユニットと室外ユニット１００を連結する接続配管１１２および１１３を接続する配管接続弁１１４および１１５が筐体１０１内方に窪んで構成された側板１１６に設けられている。
【０００６】
配管接続弁１１４および１１５の上部には、室内ユニットと室外ユニット１００を電気的に接続するための電源コード１１８を接続する端子台１１７が設けられている。
【０００７】
接続配管１１２および１１３と電源コード１１８を覆うように筐体１０１の右側面１０１ｄに電源カバー１１９が固定されている。電源カバー１１９と筐体１０１の背面１０１ａには、接続配管１１２および１１３の外周を覆う断熱体１２０および１２１を半円状の挟持部１２２にて挟持する構成になっている。
【０００８】
上記構成により、ファン１０７をモータ１０８によって回転駆動すると、外気が空気取入口１０９および１１０から熱交換器１０６内に吸入され、熱交換器１０６を通過する過程で冷媒と熱交換され、昇温または、降温した後、同じくファン１０７の働きにより、吹出口１１１から外部に排出される（例えば、特許文献１参照）。
【０００９】
【特許文献１】
特開平０９−１５９２２２号公報（図１）
【００１０】
【発明が解決しようとする課題】
しかしながら、上記従来の構成では、接続配管１１２、１１３を覆う断熱体１２０、１２１が電源カバー１１９および筐体１０１の背面１０１ａに形成した半円状の挟持部１２２で挟持されない状態、たとえば、室外ユニット１００の据付工事の際、断熱体１２０、１２１の長さが不充分で、挟持部１２２が断熱体１２０、１２１に至らない場合、雨水が、挟持部１２２と接続配管１１２、１１３との間に形成されるすきまから侵入するという課題があった。
【００１１】
また、電源カバー１１９の挟持部１２２で接続配管１１２、１１３の断熱体１２０、１２１を押さえ付けているので、接続配管１１２、１１３の振動が電源カバー１１９および筐体１０１に伝わり共振音等が発生するという課題もあった。
【００１２】
また、電源コード１１８が接続配管１１２、１１３および断熱体１２０、１２１と重なり電源カバー１１９と筐体１０１の背面１０１ａに狭持されるため電源カバー１１９が浮き隙間が発生し、そこから雨水が浸入したり、電源カバー１１９の取付けが確実に行えず外観上美観を損なうというような課題もあった。
【００１３】
本発明は、このような従来の課題を解決するもので、電源カバーの取り付けを容易にし、端子台や本体内部への雨水等の浸入を防止しさらに振動の少ない空気調和機の室外ユニットを提供することを目的とするものである。
【００１４】
【課題を解決するための手段】
上記従来の課題を解決するために、本発明は、筐体の側面に設けられ室内ユニットと室外ユニットを電気的に接続するための端子台と、前記側面に設けられるとともに内方に窪んで形成された側板と、前記側板に設けられ前記室内ユニットと前記室外ユニットを配管にて接続する配管接続弁と、前記端子台と前記配管接続弁を覆う電源カバーとを備え、前記電源カバーに前記側板の上面と対向するように突出した突出片を設けたもので、配管接続弁の上方に配置された端子台およびに本体内部に雨水が侵入せずしかも、接続配管やそれを覆う断熱体を筐体および電源カバー間で挟む必要がないので、配管の振動による共振が発生せず、騒音の少ない室外ユニットを提供する事ができる。
【００１５】
【発明の実施の形態】
請求項１記載の発明は、筐体の側面に設けられ室内ユニットと室外ユニットを電気的に接続するための端子台と、前記側面に設けられるとともに内方に窪んで形成された側板と、前記側板に設けられ前記室内ユニットと前記室外ユニットを配管にて接続する配管接続弁と、前記端子台と前記配管接続弁を覆う電源カバーとを備え、前記電源カバーに前記側板の上面と対向するように突出した突出片を設けたもので、配管接続弁の上方に配置された端子台およびに本体内部に雨水が侵入せずしかも、接続配管やそれを覆う断熱体を筐体および電源カバー間で挟む必要がないので、配管の振動による共振が発生せず、騒音の少ない室外ユニットを提供する事ができる。
【００１６】
請求項２記載の発明は、端子台に接続される電源コードを取り出すための開口したコード導通部を突出片に設けたもので、コード導通部と側板の上面部で電源コード外周を押さえ込み密閉する事ができるので、配管接続弁の上方に配置された端子台や本体内部に雨水が侵入せず、さらに接続配管および断熱体が押さえ付けられることなくき廻すことができる。
【００１７】
請求項３の発明は、側板の下面部に雨水排出用の排水部を設けたもので、側板やそれに固定された配管接続弁および接続配管に結露した凝縮水等と同様に雨水を排水部より室外基板内に導かれるので、溜まる事がない。
【００１８】
【実施例】
以下本発明の実施例について、図面を参照しながら説明する。
【００１９】
（実施例１）
以下、本発明の第１の実施例について、図１乃至４を用いて説明する。なお、従来例と同一部分については、同一符号、名称を用いてその説明を省略する。
【００２０】
図において、室外ユニット１００の筐体１０１内方に窪んで構成された側板１１６に固定された配管接続弁１１４および１１５に接続配管１１２および１１３が接続され、前記配管接続弁１１４および１１５の上部に配設された端子台１１７に電源コード１１８を接続することによって図示しない室内ユニットと前記室外ユニット１００が電気的に接続される。
【００２１】
前記接続配管１１２および１１３と前記電源コード１１８を覆うように前記筐体１０１の右側面１０１ｄに電源カバー１１９が固定されている。また、図４に示されるように、側板１１６の上面部１２３に対向して突出した凸状の突出片１２４が電源カバー１１９の開口１１９ａの上部から延出されている。
【００２２】
また、前記側板１１６の下面部１２５には室外基板１０２に連通する開口した複数個の排水部１２６を設け、前記室外基板１０２内に雨水や凝縮水等が導かれるようになっている。
【００２３】
以上の構成により、  配管接続弁１１４、１１５の上方に配置された室内ユニットと室外ユニットを電気的に接続する端子台１１７および本体内部への雨水の侵入が遮断される。また、側板１１６やそれに固定された配管接続弁１１４、１１５および接続配管１１２、１１３に結露した凝縮水等と同様に雨水を排水部１２６より室外基板１０２内に導くことができる。また、接続配管１１２および断熱体１２０、１２１が筐体１０１および電源カバー１１９と接触しないため配管１１２、１１３の振動による共振が筐体１０１および電源カバー１１９に伝わらず、低騒音の室外ユニットを提供する事ができる。
【００２４】
（実施例２）
次に、本発明の第２の実施例について、図５を用いて説明する。なお、従来例及び上記第１の実施例と同一部分については、同一符号、名称を用い説明を省略する。
【００２５】
図５において、側板１１６に延設された突出片１２４に、電源コード１１８を取り出すための凹状に開口したコード導通部１２７を設け、そのコード導通部１２７と前記側板１１６の上面部１２３で前記電源コード１１８の外周を押さえ込み密閉させたものである。
【００２６】
上記構成により、配管接続弁１１４、１１５の上方に配置された端子台１１７および本体内部への雨水の侵入が確実に防止でき、さらに接続配管１１２、１１３および断熱体１２０、１２１と加圧されずに引き廻すことができるので、電源カバー１１９が容易に取り付けられ、しかも浮き等美観を損なうようなこともなく据付できるという効果を奏する。
【００２７】
【発明の効果】
以上のように、本発明によれば、端子台および本体内部への雨水の侵入が確実に防止でき、しかも配管の振動が筐体および電源カバーに伝わらないので、振動の少ない空気調和機の室外ユニットを提供する事ができる。
【図面の簡単な説明】
【図１】本発明の第１の実施例を示す空気調和機の室外ユニットの全体斜視図
【図２】同室外ユニットの内部構造を示す概略図
【図３】同室外ユニットの要部斜視図
【図４】同室外ユニットの電源カバーを取りつけた状態の要部斜視図
【図５】本発明の第２の実施例を示す空気調和機の室外ユニットの要部斜視図
【図６】従来の空気調和機の室外ユニットの電源カバーを取り外した状態の斜視図
【図７】同室外ユニットの内部構造を示す概略図
【符号の説明】
１００  室外ユニット
１０１  筐体
１１２  接続配管
１１３  接続配管
１１４  配管接続弁
１１５  配管接続弁
１１６  側板
１１７  端子台
１１８  電源コード
１１９  電源カバー
１２０  断熱体
１２１  断熱体
１２２  挟持部
１２３  上面部
１２４  突出片
１２５  下面部
１２６  排水部
１２７  コード導通部
【図１】
2005036999.tif 000003
【図２】
2005036999.tif 000004
【図３】
2005036999.tif 000005
【図４】
2005036999.tif 000006
【図５】
2005036999.tif 000007
【図６】
2005036999.tif 000008
【図７】
2005036999.tif 000009